(57)【要約】【課題】窓等の開口部の配置やサイズを簡単に変更することができ、しかも資材の有効利用を図ることができる開口部用軸組を提供する。【解決手段】この開口部用軸組１は、一対の側枠材１０、１０と、上枠材１１と、下枠材１２とからなる外周枠２内に、上下の開口形成用フレーム３、４を取り付けて構成されている。上側の開口形成用フレーム３は、側枠材１０、１０間に着脱可能に差し渡した上側横フレーム材２０と、上枠材１１と上側横フレーム材２０との間に着脱可能に差し渡した上側縦フレーム材２１とを備え、下側の開口形成用フレーム４は、側枠材１０、１０間に着脱可能に差し渡した下側横フレーム材３０と、下枠材１２と下側横フレーム材３０との間に着脱可能に差し渡した下側縦フレーム材３１とを備えている。【選択図】図１
2009270322.tif 000002
【特許請求の範囲】
【請求項１】
一対の側枠材（１０）（１０）と、これら側枠材（１０）（１０）の上端部間を連結する上枠材（１１）と、側枠材（１０）（１０）の下端部間を連結する下枠材（１２）とからなる外周枠（２）を備え、この外周枠（２）内の上側及び下側に開口形成用フレーム（３）（４）をそれぞれ取り付けた開口部用軸組（１）であって、前記上側の開口形成用フレーム（３）は、前記側枠材（１０）（１０）間に着脱可能に差し渡した上側横フレーム材（２０）と、前記上枠材（１１）と上側横フレーム材（２０）との間に着脱可能に差し渡した上側縦フレーム材（２１）とを備え、前記下側の開口形成用フレーム（４）は、前記側枠材（１０）（１０）間に着脱可能に差し渡した下側横フレーム材（３０）と、前記下枠材（１２）と下側横フレーム材（３０）との間に着脱可能に差し渡した下側縦フレーム材（３１）とを備えたことを特徴とする開口部用軸組。
【請求項２】
前記一対の側枠材（１０）（１０）、上枠材（１１）及び下枠材（１２）は、溝部開口を外周枠（２）内に向けて配置したリップ付き溝形鋼からなり、前記上側の開口形成用フレーム（３）において、前記上側横フレーム材（２０）の両端部に、前記側枠材（１０）（１０）のリップ（１０ａ）（１０ａ）・・を挟み込む第１連結部材（４１）（４１）をそれぞれ設け、前記上側縦フレーム材（２１）の上端部に、前記上枠材（１１）のリップ（１１ａ）（１１ａ）を挟み込む第２連結部材（４２）を設けるとともに、前記上側縦フレーム材（２１）の下端部に、前記上側横フレーム材（２０）に連結する第３連結部材（４３）を設け、前記下側の開口形成用フレーム（４）において、前記下側横フレーム材（３０）の両側端部に、前記側枠材（１０）（１０）のリップ（１０ａ）（１０ａ）・・を挟み込む第４連結部材（４４）（４４）をそれぞれ設け、前記下側縦フレーム材（３１）の下端部に、前記下枠材（１２）のリップ（１２ａ）（１２ａ）を挟み込む第５連結部材（４５）を設けるとともに、前記下側縦フレーム材（３１）の上端部に、前記下側横フレーム材（３０）に連結する第６連結部材（４６）を設けた請求項１記載の開口部用軸組。
【請求項３】
前記第１連結部材（４１）は、前記上側横フレーム材（２０）の側端部に固定されて前記側枠材（１０）のリップ（１０ａ）（１０ａ）表面に当接する接合プレート（５０）と、前記側枠材（１０）の溝部内に配されて前記側枠材（１０）のリップ（１０ａ）（１０ａ）裏面に当接する係止プレート（５１）（５１）とを備え、これら接合プレート（５０）と係止プレート（５１）（５１）をボルト（５４）（５４）及びナット（５５）（５５）により連結することで、前記側枠材（１０）のリップ（１０ａ）（１０ａ）をその縦方向の任意位置で挟み込み可能とするものであり、前記第２連結部材（４２）は、前記上側縦フレーム材（２１）の上端部に固定されて前記上枠材（１１）のリップ（１１ａ）（１１ａ）表面に当接する接合プレート（５６）と、前記上枠材（１１）の溝部内に配されて前記上枠材（１１）のリップ（１１ａ）（１１ａ）裏面に当接する係止プレート（５１）（５１）とを備え、これら接合プレート（５６）と係止プレート（５１）（５１）をボルト（５４）（５４）及びナット（５５）（５５）により連結することで、前記上枠材（１１）のリップ（１１ａ）（１１ａ）をその横方向の任意位置で挟み込み可能とするものであり、前記第３連結部材（４３）は、前記上側縦フレーム材（２１）の下端部に固定された接合プレート（６０）を備え、この接合プレート（６０）をボルト（６１）（６１）及びナット（６２）（６２）により前記上側横フレーム材（２０）に取り付けることで、前記上側横フレーム材（２０）の所定位置に連結するものであり、前記第４連結部材（４４）は、前記下側横フレーム材（３０）の側端部に固定されて前記側枠材（１０）のリップ（１０ａ）（１０ａ）表面に当接する接合プレート（５０）と、前記側枠材（１０）の溝部内に配されて前記側枠材（１０）のリップ（１０ａ）（１０ａ）裏面に当接する係止プレート（５１）（５１）とを備え、これら接合プレート（５０）と係止プレート（５１）（５１）をボルト（５４）（５４）及びナット（５５）（５５）により連結することで、前記側枠材（１０）のリップ（１０ａ）（１０ａ）をその縦方向の任意位置で挟み込み可能とするものであり、前記第５連結部材（４５）は、前記下側縦フレーム材（３１）の下端部に固定されて前記下枠材（１２）のリップ（１２ａ）（１２ａ）表面に当接する接合プレート（５６）と、前記下枠材（１２）の溝部内に配されて前記下枠材（１２）のリップ（１２ａ）（１２ａ）裏面に当接する係止プレート（５１）（５１）とを備え、これら接合プレート（５６）と係止プレート（５１）（５１）をボルト（５４）（５４）及びナット（５５）（５５）により連結することで、前記下枠材（１２）のリップ（１２ａ）（１２ａ）をその横方向の任意位置で挟み込み可能とするものであり、前記第６連結部材（４６）は、前記下側縦フレーム材（３１）の上端部に固定された接合プレート（６０）を備え、この接合プレート（６０）をボルト（６１）（６１）及びナット（６２）（６２）により前記下側横フレーム材（３０）に取り付けることで、前記下側横フレーム材（３０）の所定位置に連結するものである請求項２記載の開口部用軸組。
【請求項４】
前記上側の開口形成用フレーム（３）の上側縦フレーム材（２１）及び前記下側の開口形成用フレーム（４）の下側縦フレーム材（３１）を、開口部用軸組（１）に横並びに取り付ける外壁材（７１）（７１）・・の縦目地部分（７２）（７２）の裏支え材とした請求項１乃至３のいずれかに記載の開口部用軸組。
【発明の詳細な説明】
【技術分野】
【０００１】
この発明は、鉄骨軸組構造の住宅における窓等の開口部を取り付けるための開口部用軸組に関する。
【背景技術】
【０００２】
近年、世代を越えて循環利用できる社会的資産としての住宅の実現、普及に向けての開発が活発になされている。この種の住宅においては、構造躯体についての耐久性、耐震性の向上は勿論のこと、何度も行われる生活者の交代に対して、生活者のニーズに柔軟に対応できるように各種設備の可変性の確保が必要不可欠であり、住宅の外壁部分に設ける窓等の開口部においても、その配置やサイズを変更可能とするシステムづくりが求められる。
【０００３】
従来の鉄骨軸組構造の住宅においては、外壁部分の窓の配置やサイズを変更する場合、開口部用軸組に取り付けてある外壁パネル及び窓を取り外し、さらに開口部用軸組を取り外して、これらの代わりに、窓取付用開口の位置や大きさの異なる新設の開口部用軸組を取り付けて、この新設の開口部用軸組に新設の外壁パネル及び新設の窓を取り付けるようにしている。
【０００４】
また、特許文献１にも開示されているように、外壁パネル及び窓を取り外すことによって露出した開口部用軸組において、その外周枠内に取り付けてある開口形成用フレームの取付位置を変えることで窓取付用開口の位置や大きさを変更して、その開口部用軸組に新設の外壁パネル及び新設の窓を取り付けるといったこともなされている。
【０００５】
【特許文献１】特開２００３−３６７８号公報
【発明の開示】
【発明が解決しようとする課題】
【０００６】
一般に、開口部用軸組は、梁、基礎、隣接軸組等に接合ボルトで接合されている。従って、上記のように開口部用軸組を取り外す場合には、これら接合ボルトを取り除く必要があり、大掛かりな作業が必要となって施工性の悪化を招いていた。また、取り外した開口部用軸組は、廃棄処分することになるから、環境負荷を増大させる要因にもなっていた。
【０００７】
一方、開口部用軸組を取り外すことなく、その外周枠内における開口形成用フレームの取付位置を変えることで窓取付用開口の位置や大きさを変更する場合には、上記のような接合ボルトの取り除き作業を不要とすることができ、しかも資材の有効利用を図ることができる。しかしながら、現状の開口部用軸組においては、その外周枠に開口形成用フレームが溶接によって取り付けられており、開口形成用フレームの取付位置を変えるためには、現場での面倒な溶接作業が必要となり、また火花等が火災の原因となるため安全性においても問題があった。
【０００８】
この発明は、上記不具合を解消して、窓等の開口部の配置やサイズを簡単に変更することができ、しかも資材の有効利用を図ることができる開口部用軸組の提供を目的とする。
【課題を解決するための手段】
【０００９】
上記課題を解決するため、この発明の開口部用軸組１は、一対の側枠材１０、１０と、これら側枠材１０、１０の上端部間を連結する上枠材１１と、側枠材１０、１０の下端部間を連結する下枠材１２とからなる外周枠２を備え、この外周枠２内の上側及び下側に開口形成用フレーム３、４をそれぞれ取り付けたものであって、前記上側の開口形成用フレーム３は、前記側枠材１０、１０間に着脱可能に差し渡した上側横フレーム材２０と、前記上枠材１１と上側横フレーム材２０との間に着脱可能に差し渡した上側縦フレーム材２１とを備え、前記下側の開口形成用フレーム４は、前記側枠材１０、１０間に着脱可能に差し渡した下側横フレーム材３０と、前記下枠材１２と下側横フレーム材３０との間に着脱可能に差し渡した下側縦フレーム材３１とを備えたことを特徴とする。
【００１０】
具体的に、前記一対の側枠材１０、１０、上枠材１１及び下枠材１２は、溝部開口を外周枠２内に向けて配置したリップ付き溝形鋼からなり、前記上側の開口形成用フレーム３において、前記上側横フレーム材２０の両端部に、前記側枠材１０、１０のリップ１０ａ、１０ａ・・を挟み込む第１連結部材４１、４１をそれぞれ設け、前記上側縦フレーム材２１の上端部に、前記上枠材１１のリップ１１ａ、１１ａを挟み込む第２連結部材４２を設けるとともに、前記上側縦フレーム材２１の下端部に、前記上側横フレーム材２０に連結する第３連結部材４３を設け、前記下側の開口形成用フレーム４において、前記下側横フレーム材３０の両側端部に、前記側枠材１０、１０のリップ１０ａ、１０ａ・・を挟み込む第４連結部材４４、４４をそれぞれ設け、前記下側縦フレーム材３１の下端部に、前記下枠材１２のリップ１２ａ、１２ａを挟み込む第５連結部材４５を設けるとともに、前記下側縦フレーム材３１の上端部に、前記下側横フレーム材３０に連結する第６連結部材４６を設けている。
【００１１】
また、前記第１連結部材４１は、前記上側横フレーム材２０の側端部に固定されて前記側枠材１０のリップ１０ａ、１０ａ表面に当接する接合プレート５０と、前記側枠材１０の溝部内に配されて前記側枠材１０のリップ１０ａ、１０ａ裏面に当接する係止プレート５１、５１とを備え、これら接合プレート５０と係止プレート５１、５１をボルト５４、５４及びナット５５、５５により連結することで、前記側枠材１０のリップ１０ａ、１０ａをその縦方向の任意位置で挟み込み可能とするものであり、前記第２連結部材４２は、前記上側縦フレーム材２１の上端部に固定されて前記上枠材１１のリップ１１ａ、１１ａ表面に当接する接合プレート５６と、前記上枠材１１の溝部内に配されて前記上枠材１１のリップ１１ａ、１１ａ裏面に当接する係止プレート５１、５１とを備え、これら接合プレート５６と係止プレート５１、５１をボルト５４、５４及びナット５５、５５により連結することで、前記上枠材１１のリップ１１ａ、１１ａをその横方向の任意位置で挟み込み可能とするものであり、前記第３連結部材４３は、前記上側縦フレーム材２１の下端部に固定された接合プレート６０を備え、この接合プレート６０をボルト６１、６１及びナット６２、６２により前記上側横フレーム材２０に取り付けることで、前記上側横フレーム材２０の所定位置に連結するものであり、前記第４連結部材４４は、前記下側横フレーム材３０の側端部に固定されて前記側枠材１０のリップ１０ａ、１０ａ表面に当接する接合プレート５０と、前記側枠材１０の溝部内に配されて前記側枠材１０のリップ１０ａ、１０ａ裏面に当接する係止プレート５１、５１とを備え、これら接合プレート５０と係止プレート５１、５１をボルト５４、５４及びナット５５、５５により連結することで、前記側枠材１０のリップ１０ａ、１０ａをその縦方向の任意位置で挟み込み可能とするものであり、前記第５連結部材４５は、前記下側縦フレーム材３１の下端部に固定されて前記下枠材１２のリップ１２ａ、１２ａ表面に当接する接合プレート５６と、前記下枠材１２の溝部内に配されて前記下枠材１２のリップ１２ａ、１２ａ裏面に当接する係止プレート５１、５１とを備え、これら接合プレート５６と係止プレート５１、５１をボルト５４、５４及びナット５５、５５により連結することで、前記下枠材１２のリップ１２ａ、１２ａをその横方向の任意位置で挟み込み可能とするものであり、前記第６連結部材４６は、前記下側縦フレーム材３１の上端部に固定された接合プレート６０を備え、この接合プレート６０をボルト６１、６１及びナット６２、６２により前記下側横フレーム材３０に取り付けることで、前記下側横フレーム材３０の所定位置に連結するものである。
【００１２】
さらに、前記上側の開口形成用フレーム３の上側縦フレーム材２１及び前記下側の開口形成用フレーム４の下側縦フレーム材３１を、開口部用軸組１に横並びに取り付ける外壁材７１、７１・・の縦目地部分７２、７２の裏支え材としている。
【発明の効果】
【００１３】
この発明の開口部用軸組では、外周枠に対して上側及び下側の開口形成用フレームを溶接レスで着脱して、窓取付用開口の位置や大きさを容易に変更することができるので、従来のように開口部用軸組を取り外す場合や、外周枠に対して溶接によって取り付けられている開口形成用フレームの取付位置を変える場合と比べて、窓の配置やサイズを簡単に変更することができる。
【００１４】
しかも、上側及び下側の開口形成用フレームにおいて、横フレーム材に対して縦フレーム材を溶接レスで簡単に着脱することができることから、新たに高さの異なる縦フレーム材を用意するだけで、外周枠及び横フレーム材についてはそのまま使い回しながら、窓取付用開口の位置や大きさを変更することができ、資材の有効利用を図ることができる。
【００１５】
また、上側及び下側の開口形成用フレームは、第１、第２、第４、第５連結部材によって外周枠の各枠材における内向きのリップを挟み込むようにして連結されているので、これら連結に際して外周枠の外周部分にボルト等が突出することがなく、開口部用軸組を梁、基礎、隣接軸組等に接合する際に支障をきたすこともない。
【００１６】
さらに、上側及び下側の開口形成用フレームの横フレーム材の両端部に設けた第１、第４連結部材は、側枠材のリップをその縦方向の任意位置で挟み込み可能となっていることから、窓取付用開口の位置や大きさの変更に際して、外周枠の側枠材にボルト挿通用孔を新たに形成する等の特別な加工を必要とせずに、横フレーム材の取付位置（高さレベル）を任意に設定することができ、施工性をより一層高めることができる。
【００１７】
さらにまた、上側及び下側の開口形成用フレームにおいて、縦フレーム材は第３、第６連結部材によって横フレーム材の所定位置に連結されるので、窓取付用開口の位置や大きさの変更に際して、新たに用意した高さの異なる縦フレーム材を第３、第６連結部材によって横フレーム材に取り付けるだけで、これら縦フレーム材の位置出しを新たに行うことなく、例えば縦フレーム材を隣接する外壁材の縦目地部分の裏支え材として用いる場合において、縦フレーム材を縦目地部分に対応するように精度良く配置することができ、施工性をより一層高めることができる。
【発明を実施するための最良の形態】
【００１８】
以下、この発明の実施形態を図面に基づいて詳細に説明する。この発明の一実施形態に係る開口部用軸組１は、長期にわたって世代を越えて循環利用できる鉄骨軸組構造の住宅において用いられるもので、図１及び図２に示すように、方形枠状の外周枠２を備え、この外周枠２内の上側及び下側に開口形成用フレーム３、４をそれぞれ溶接レスで取り付けることによって構成されている。
【００１９】
外周枠２は、リップ付き溝形鋼からなる左右一対の側枠材１０、１０と、これら側枠材１０、１０の上端部間を連結するリップ付き溝形鋼からなる上枠材１１と、側枠材１０、１０の下端部間を連結するリップ付き溝形鋼からなる下枠材１２とから構成されており、これら側枠材１０、１０、上枠材１１及び下枠材１２は、それぞれの溝部開口が外周枠２内に向くようにして配置されている。
【００２０】
上側の開口形成用フレーム３は、側枠材１０、１０間に着脱可能に差し渡された上側横フレーム材２０と、上枠材１１の中央部と上側横フレーム材２０の中央部との間に着脱可能に差し渡された上側縦フレーム材２１とを備えている。上側横フレーム材２０は、溝部開口を上方に向けて配置した溝形鋼からなり、そのウエブ下面には一対の窓台２２、２２が取り付けられている。上側縦フレーム材２１は、互いのウエブ部分を対向させるようにして配置した一対のリップ付き溝形鋼からなる。
【００２１】
下側の開口形成用フレーム４は、側枠材１０、１０間に着脱可能に差し渡された下側横フレーム材３０と、下枠材１２の中央部と下側横フレーム材３０の中央部との間に着脱可能に差し渡された下側縦フレーム材３１とを備えている。下側横フレーム材３０は、溝部開口を下方に向けて配置した溝形鋼からなり、そのウエブ上面には一対の窓台３２、３２が取り付けられている。下側縦フレーム材３１は、互いのウエブ部分を対向させるようにして配置した一対のリップ付き溝形鋼からなる。
【００２２】
そして、上下の開口形成用フレーム３、４の横フレーム材２０、３０と、外周枠２の側枠材１０、１０とによって囲まれた部分が、窓取付用開口Ｓとなっていて、図３に示すように、この窓取付用開口Ｓに窓７０が取り付けられる。また、上下の開口形成用フレーム３、４の縦フレーム材２１、３１は、横フレーム材２０、３０の取付強度を高めるとともに、図３に示すように、開口部用軸組１の窓取付用開口Ｓ以外の部分に横並びに取り付けられる外壁材７１、７１・・の縦目地部分７２、７２の裏支え材としても機能するようになっている。
【００２３】
上側の開口形成用フレーム３においては、上側横フレーム材２０の両端部に、側枠材１０、１０のリップ１０ａ、１０ａ・・を挟み込む第１連結部材４１、４１がそれぞれ設けられ、上側縦フレーム材２１の上端部に、上枠材１１のリップ１１ａ、１１ａを挟み込む第２連結部材４２が設けられるとともに、上側縦フレーム材２１の下端部に、上側横フレーム材２０に連結する第３連結部材４３が設けられている。
【００２４】
下側の開口形成用フレーム４においては、下側横フレーム材３０の両側端部に、側枠材１０、１０のリップ１０ａ、１０ａ・・を挟み込む第４連結部材４４、４４がそれぞれ設けられ、下側縦フレーム材３１の下端部に、下枠材１２のリップ１２ａ、１２ａを挟み込む第５連結部材４５が設けられるとともに、下側縦フレーム材３１の上端部に、下側横フレーム材３０に連結する第６連結部材４６が設けられている。
【００２５】
第１連結部材４１は、図４に示すように、上側横フレーム材２０の側端部に固定されて側枠材１０のリップ１０ａ、１０ａ表面に当接する接合プレート５０と、側枠材１０の溝部内に配されて側枠材１０のリップ１０ａ、１０ａ裏面に当接する係止プレート５１、５１とを備えている。接合プレート５０は、上側横フレーム材２０のウエブにボルト５２及びナット５３によって取り付けられた水平部５０ａと、この水平部５０ａの一端部から上側横フレーム材２０側方において立ち上がった垂直部５０ｂとから全体的に略Ｌ形に形成されている。係止プレート５１は、図５に示すように、相対する一対のコーナー部分が斜めに切り欠かれた略長方形状に形成され、その長辺側の長さが側枠材１０におけるリップ１０ａ、１０ａ間の隙間の幅寸法よりも長く、短辺側の長さがリップ１０ａ、１０ａ間の隙間の幅寸法よりも短くなって、その略中央においてボルト５４が貫通固定されている。従って、この係止プレート５１は、その長辺側を側枠材１０におけるリップ１０ａ、１０ａ間の隙間に沿わせることで、側枠材１０の溝部内へリップ１０ａ、１０ａ間の隙間を通して挿入可能とされ、且つ、この挿入状態からボルト５４を中心として約９０度回転させることで、側枠材１０のフランジ内面間に跨って回転が規制されるとともに、リップ１０ａ、１０ａ裏面に当接してリップ１０ａ、１０ａ間の隙間からの抜けが規制されるようになっている。そして、このような係止プレート５１、５１を抜けが規制された状態で側枠材１０の溝部内に配置して、側枠材１０のリップ１０ａ、１０ａ間の隙間から突出したボルト５４、５４を接合プレート５０に挿通させて、この状態でボルト５４、５４にナット５５、５５を螺合して締め付けることで、接合プレート５０と係止プレート５１、５１との間で側枠材１０のリップ１０ａ、１０ａを挟み込むようになっている。このような第１連結部材４１によるリップ１０ａ、１０ａの挟み込みは、リップ１０ａ、１０ａの縦方向の任意位置で可能となっている。なお、図４は、上側横フレーム材２０の一端部（図１において左側端部）に設けた第１連結部材４１を示しているが、上側横フレーム材２０の他端部（図１において右側端部）に設けた第１連結部材４１も同様の構造となっている。
【００２６】
第２連結部材４２は、図６に示すように、上側縦フレーム材２１の上端部に固定されて上枠材１１のリップ１１ａ、１１ａ表面に当接する接合プレート５６と、上枠材１１の溝部内に配されて上枠材１１のリップ１１ａ、１１ａ裏面に当接する係止プレート５１とを備えている。接合プレート５６は、上側縦フレーム材２１における一対のリップ付き溝形鋼のウエブ間にボルト５７、５７及びナット５８、５８によって取り付けられた垂直部５６ａと、この垂直部５６ａの上端部に固定された水平部５６ｂとから全体的に略Ｔ形に形成されている。係止プレート５１は、第１連結部材４１のものと同様の構造のものが使用されている。そして、第１連結部材４１と同様にして、接合プレート５６と係止プレート５１、５１との間で上枠材１１のリップ１１ａ、１１ａを挟み込むようになっている。このような第２連結部材４２によるリップ１１ａ、１１ａの挟み込みは、リップ１１ａ、１１ａの横方向の任意位置で可能となっている。
【００２７】
第３連結部材４３は、図７に示すように、上側縦フレーム材２１の下端部に固定された接合プレート６０を備えている。この接合プレート６０は、上側縦フレーム材２１における一対のリップ付き溝形鋼のウエブ間に溶接等によって取り付けられた垂直部６０ａと、この垂直部６０ａの下端部に固定された水平部６０ｂとから全体的に略Ｔ形に形成されている。そして、接合プレート６０がボルト６１、６１及びナット６２、６２により上側横フレーム材２０のウエブに取り付けられるようになっている。このような第３連結部材４３による連結は、上側横フレーム材２０の所定位置すなわちボルト挿通孔が形成されている位置においてのみ可能となっている。
【００２８】
第４連結部材４４は、図８に示すように、下側横フレーム材３０の側端部に固定されて側枠材１０のリップ１０ａ、１０ａ表面に当接する接合プレート５０と、側枠材１０の溝部内に配されて側枠材１０のリップ１０ａ、１０ａ裏面に当接する係止プレート５１、５１とを備えている。接合プレート５０は、上下の配置が逆になっているだけで第１連結部材４１のものと同様の構造のものが使用され、また係止プレート５１は、第１連結部材４１のものと同様の構造のものが使用されている。そして、第１連結部材４１と同様にして、接合プレート５０と係止プレート５１、５１との間で側枠材１０のリップ１０ａ、１０ａを挟み込むようになっている。このような第４連結部材４４によるリップ１０ａ、１０ａの挟み込みは、リップ１０ａ、１０ａの縦方向の任意位置で可能となっている。なお、図８は、下側横フレーム材３０の一端部（図１において左側端部）に設けた第４連結部材４４を示しているが、下側横フレーム材３０の他端部（図１において右側端部）に設けた第４連結部材４４も同様の構造となっている。
【００２９】
第５連結部材４５は、図９に示すように、下側縦フレーム材３１の下端部に固定されて下枠材１２のリップ１２ａ、１２ａ表面に当接する接合プレート５６と、下枠材１２の溝部内に配されて下枠材１２のリップ１２ａ、１２ａ裏面に当接する係止プレート５１、５１とを備えている。接合プレート５６は、上下の配置が逆になっているだけで第２連結部材４２のものと同様の構造のものが使用され、また係止プレート５１は、第１連結部材４１のものと同様の構造のものが使用されている。そして、第１連結部材４１と同様にして、接合プレート５６と係止プレート５１、５１との間で下枠材１２のリップ１２ａ、１２ａを挟み込むようになっている。このような第５連結部材４５によるリップ１２ａ、１２ａの挟み込みは、リップ１２ａ、１２ａの横方向の任意位置で可能となっている。
【００３０】
第６連結部材４６は、図１０に示すように、下側縦フレーム材３１の上端部に固定された接合プレート６０を備えている。この接合プレート６０は、上下が逆になっているだけで第３連結部材４３のものと同様の構造のものが使用されている。そして、第３連結部材４３と同様にして、接合プレート６０がボルト６１、６１及びナット６２、６２により下側横フレーム材３０のウエブに取り付けられるようになっている。このような第６連結部材４６による連結は、下側横フレーム材３０の所定位置すなわちボルト挿通孔が形成されている位置においてのみ可能となっている。
【００３１】
上記構成の開口部用軸組１を使用した鉄骨軸組構造の住宅において、外壁部分の窓７０の配置やサイズを変更する場合の作業手順について説明する。まず、開口部用軸組１に取り付けてある窓７０及び外壁材７１・・を取り外して、開口部用軸組１を露出させる。
【００３２】
続いて、開口部用軸組１において、その窓取付用開口Ｓの位置や大きさを変更することになるが、この場合、図１１(ａ)、(ｂ)に示すように、上側又は下側の開口形成用フレーム３、４を取り外すか、図１１(ｃ)〜(ｅ)に示すように、上側及び／又は下側の開口形成用フレーム３、４の横フレーム材２０、３０の取付位置（高さレベル）を変更すれば良い。以下、上側及び下側の開口形成用フレーム３、４の横フレーム材２０、３０の高さレベルを変更する場合を例に挙げて説明する。
【００３３】
この場合、まず、外周枠２に対して上下の開口形成用フレーム３、４を連結している第１、第２、第４、第５連結部材４１、４２、４４、４５のナット５５・・を緩めて、外周枠２の各枠材１０、１１、１２のリップ１０ａ、１１ａ、１２ａ・・に対する挟み込みを解除することで、外周枠２から上側及び下側の開口形成用フレーム３、４を取り外す。
【００３４】
続いて、上側及び下側の開口形成用フレーム３、４において、横フレーム材２０、３０に対して縦フレーム材２１、３１を連結している第３、第６連結部材４３、４６のナット６２・・を緩めて、横フレーム材２０、３０から縦フレーム材２１、３１を外す。そして、新たに用意した高さの異なる縦フレーム材２１、３１を第３、第６連結部材４３、４６を介して再び横フレーム材２０、３０に取り付けて、この新たな上側及び下側の開口形成用フレーム３、４を、第１、第２、第４、第５連結部材４１、４２、４４、４５を介して再び外周枠２に取り付ける。これにより、上側及び下側の開口形成用フレーム３、４の横フレーム材２０、３０の高さレベルが変更されて、開口部用軸組１において位置や大きさの異なる窓取付用開口Ｓが新たに形成される。そして、この開口部用軸組１に対して、新たに用意した窓７０及び外壁材７１・・を取り付けることで、窓７０の配置やサイズが変更されることになる。
【００３５】
このように、外周枠２に対して上側及び下側の開口形成用フレーム３、４を溶接レスで簡単に着脱することができる開口部用軸組１を使用することで、従来のように開口部用軸組を取り外す場合や、外周枠に対して溶接によって取り付けられている開口形成用フレームの取付位置を変える場合と比べて、窓７０の配置やサイズを簡単に変更することができる。
【００３６】
しかも、開口形成用フレーム３、４において、横フレーム材２０、３０に対して縦フレーム材２１、３１を溶接レスで簡単に着脱することができることから、新たに高さの異なる縦フレーム材２１、３１を用意するだけで、外周枠２及び横フレーム材２０、３０についてはそのまま使い回しながら、窓取付用開口Ｓの位置や大きさを変更することができ、資材の有効利用を図ることができる。
【００３７】
また、開口形成用フレーム３、４は、第１、第２、第４、第５連結部材４１、４２、４４、４５によって外周枠２の各枠材１０、１１、１２における内向きのリップ１０ａ、１１ａ、１２ａ・・を挟み込むようにして連結されているので、これら連結に際して外周枠２の外周部分にボルト等が突出することがなく、開口部用軸組１を梁、基礎、隣接軸組等に接合する際に支障をきたすこともない。
【００３８】
さらに、開口形成用フレーム３、４の横フレーム材２０、３０の両端部に設けた第１、第４連結部材４１、４４は、側枠材１０、１０のリップ１０ａ・・をその縦方向の任意位置で挟み込み可能となっていることから、窓取付用開口Ｓの位置や大きさの変更に際して、外周枠２の側枠材１０、１０にボルト挿通用孔を新たに形成する等の特別な加工を必要とせずに、横フレーム材２０、３０の取付位置（高さレベル）を任意に設定することができ、施工性をより一層高めることができる。
【００３９】
さらにまた、開口形成用フレーム３、４において、縦フレーム材２１、３１は第３、第６連結部材４３、４６によって横フレーム材２０、３０の所定位置に連結されるので、窓取付用開口Ｓの位置や大きさの変更に際して、新たに用意した高さの異なる縦フレーム材２１、３１を第３、第６連結部材４３、４６によって横フレーム材２０、３０に取り付けるだけで、これら縦フレーム材２１、３１の位置出しを新たに行うことなく、隣接する外壁材７１、７１の縦目地部分に対応するように精度良く配置することができ、施工性をより一層高めることができる。
【００４０】
この発明は、上記実施形態に限定されるものではなく、この発明の範囲内で上記実施形態に多くの修正及び変更を加え得ることは勿論である。例えば、上下の開口形成用フレームにおいて、縦フレーム材を１本だけでなく複数本設けるようにしても良い。また、横フレーム材及び縦フレーム材としては、溝形鋼以外のその他の形鋼を用いるようにしても良い。
【図面の簡単な説明】
【００４１】
【図１】この発明の一実施形態に係る開口部用軸組の正面図である。
【図２】開口部用軸組の分解斜視図である。
【図３】開口部用軸組に窓及び外壁材を取り付けた状態の正面図である。
【図４】第１連結部材を示す図である。
【図５】係止プレートの動作を示す斜視図である。
【図６】第２連結部材を示す図である。
【図７】第３連結部材を示す図である。
【図８】第４連結部材を示す図である。
【図９】第５連結部材を示す図である。
【図１０】第６連結部材を示す図である。
【図１１】開口部用軸組の窓取付用開口の変更パターンを示す図である。
【符号の説明】
【００４２】
１・・開口部用軸組、２・・外周枠、３・・上側の開口形成用フレーム、４・・下側の開口形成用フレーム、１０ａ〜１２ａ・・リップ、１０・・側枠材、１１・・上枠材、１２・・下枠材、２０・・上側横フレーム材、２１・・上側縦フレーム材、３０・・下側横フレーム材、３１・・下側縦フレーム材、４１〜４６・・第１〜第６連結部材、５０、５６、６０・・接合プレート、５１・・係止プレート、５４、６１・・ボルト、５５、６２・・ナット、７１・・外壁材、７２・・縦目地部分
【図１】
2009270322.tif 000003
【図２】
2009270322.tif 000004
【図３】
2009270322.tif 000005
【図４】
2009270322.tif 000006
【図５】
2009270322.tif 000007
【図６】
2009270322.tif 000008
【図７】
2009270322.tif 000009
【図８】
2009270322.tif 000010
【図９】
2009270322.tif 000011
【図１０】
2009270322.tif 000012
【図１１】
2009270322.tif 000013